(57)【要約】【課題】照明の明るさを確保することができ、且つ、吹出口からの空気を効率良く拡散させることができる照明器具を提供する。【解決手段】照明器具２は、器具本体６と、器具本体６の下面に配置された発光素子１６と、器具本体６の側面に配置された吸込口４４及び吹出口４６と、器具本体６の内部に配置された送風ファン７４であって、吸込口４４から器具本体６の内部に空気を吸い込み、且つ、吹出口４６から器具本体６の外部に空気を吹き出すための送風ファン７４とを備える。【選択図】図６
2018049759.tif 000002
【特許請求の範囲】
【請求項１】
器具本体と、
前記器具本体の下面に配置された発光素子と、
前記器具本体の側面に配置された吸込口と、
前記器具本体の前記側面に配置された吹出口と、
前記器具本体の内部に配置された送風ファンであって、前記吸込口から前記器具本体の内部に空気を吸い込み、且つ、前記吹出口から前記器具本体の外部に空気を吹き出すための送風ファンと、を備える
照明器具。
【請求項２】
前記吸込口及び前記吹出口は、前記器具本体の周方向に沿って互いに隣接して配置されている
請求項１に記載の照明器具。
【請求項３】
前記器具本体の前記下面は円形状に形成され、
前記器具本体の前記側面は円筒状に形成されている
請求項２に記載の照明器具。
【請求項４】
前記照明器具は、さらに、前記器具本体の内部に配置され、イオンを発生させるためのイオン発生部を備え、
前記送風ファンは、前記イオン発生部により発生したイオンを空気とともに前記吹出口から前記器具本体の外部に吹き出す
請求項１〜３のいずれか１項に記載の照明器具。
【発明の詳細な説明】
【技術分野】
【０００１】
本発明は、例えば天井等に取り付けられる照明器具に関する。
【背景技術】
【０００２】
天井に取り付けられる照明器具の一つとして、イオン発生機能を備えたシーリングライトが知られている（例えば、特許文献１参照）。この種のシーリングライトは、器具本体と、器具本体の下面に配置された発光面と、器具本体に搭載されたイオン発生ユニットとを備えている。イオン発生ユニットは、器具本体の下面に配置された吸込口及び吹出口と、器具本体の内部に配置された送風ファン及びイオン発生素子とを有している。
【０００３】
室内の空気は、送風ファンによって吸込口から器具本体の内部に吸い込まれる。器具本体の内部に吸い込まれた空気は、送風ファンによって、イオン発生素子により発生したイオンとともに吹出口から室内に向けて吹き出される。吹出口から吹き出されたイオンが室内に拡散することにより、例えば室内の脱臭又は除菌等を行うことができる。
【先行技術文献】
【特許文献】
【０００４】
【特許文献１】特開２０１０−２９５５２号公報
【発明の概要】
【発明が解決しようとする課題】
【０００５】
上述した従来のシーリングライトでは、器具本体の下面において、発光面を配置するための領域だけでなく、吸込口及び吹出口を配置するための領域も確保する必要がある。そのため、発光面の面積に制限が生じ、照明の明るさを確保することが難しいという課題が生じる。
【０００６】
さらに、上述した従来のシーリングライトでは、吹出口は器具本体の下面に配置されているため、吹出口から吹き出されたイオンの大部分は、略鉛直下方に落下しながら照明器具の直下における室内の領域に拡散する。そのため、イオンを室内全体に効率良く拡散させることが難しいという課題が生じる。
【０００７】
本発明は、このような課題に鑑みてなされたものであり、照明の明るさを確保することができ、且つ、吹出口から吹き出された空気を効率良く拡散させることができる照明器具を提供することを目的とする。
【課題を解決するための手段】
【０００８】
上記課題を解決するために、本発明の一態様に係る照明器具は、器具本体と、前記器具本体の下面に配置された発光素子と、前記器具本体の側面に配置された吸込口と、前記器具本体の前記側面に配置された吹出口と、前記器具本体の内部に配置された送風ファンであって、前記吸込口から前記器具本体の内部に空気を吸い込み、且つ、前記吹出口から前記器具本体の外部に空気を吹き出すための送風ファンと、を備える。
【発明の効果】
【０００９】
本発明の一態様に係る照明器具によれば、照明の明るさを確保することができ、且つ、吹出口からの空気を効率良く拡散させることができる。
【図面の簡単な説明】
【００１０】
【図１】実施の形態に係る照明器具の床面側の外観を示す斜視図である。
【図２】実施の形態に係る照明器具の天井側の外観を示す斜視図である。
【図３】実施の形態に係る照明器具の床面側の外観を示す平面図である。
【図４】実施の形態に係る照明器具の一部を分解して示す分解斜視図である。
【図５】図４とは異なる角度から見た状態での、実施の形態に係る照明器具の一部を分解して示す分解斜視図である。
【図６】実施の形態に係る照明器具の全体を分解して示す分解斜視図である。
【図７】図３のＶＩＩ−ＶＩＩ線断面図である。
【図８】図７のＶＩＩＩ−ＶＩＩＩ線断面図である。
【図９】変形例に係る照明器具の天井側の外観を示す斜視図である。
【発明を実施するための形態】
【００１１】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は模式図であり、必ずしも厳密に図示されたものではない。なお、各図において、実質的に同一の構成に対しては同一の符号を付しており、重複する説明は省略又は簡略化する。
【００１３】
（実施の形態）
以下、実施の形態に係る照明器具について説明する。
【００１４】
［１．照明器具の構成］
［１−１．照明器具の全体構成］
まず、図１〜図８を参照しながら、実施の形態に係る照明器具２の全体構成について説明する。図１は、実施の形態に係る照明器具２の床面側の外観を示す斜視図である。図２は、実施の形態に係る照明器具２の天井４側の外観を示す斜視図である。図３は、実施の形態に係る照明器具２の床面側の外観を示す平面図である。図４は、実施の形態に係る照明器具２の一部を分解して示す分解斜視図である。図５は、図４とは異なる角度から見た状態での、実施の形態に係る照明器具２の一部を分解して示す分解斜視図である。図６は、実施の形態に係る照明器具２の全体を分解して示す分解斜視図である。図７は、図３のＶＩＩ−ＶＩＩ線断面図である。図８は、図７のＶＩＩＩ−ＶＩＩＩ線断面図である。
【００１５】
照明器具２は、例えば住宅等の建物の天井４（図１及び図７参照）に設置される、イオン発生機能を備えたシーリングライトである。照明器具２は、室内を照明する機能と、室内をマイナスイオン（後述する）により脱臭又は除菌等する機能とを備えている。照明器具２は、臭いが気になる室内、例えば住宅の玄関、シューズクローク、ウォークインクローゼット、トイレ又は階段の踊り場等の天井４に設置される。
【００１６】
図１〜図８に示すように、照明器具２は、器具本体６と、器具取付板８と、電源ユニット１０と、センサユニット１２と、送風ユニット１４と、発光素子１６と、拡散カバー１８とを備えている。
【００１７】
以下、図１〜図８を参照しながら、照明器具２の各構成要素について詳細に説明する。なお、図１〜図８において、Ｚ軸のプラス側が天井４側、Ｚ軸のマイナス側が床面（図示せず）側を表している。
【００１８】
［１−２．器具本体］
図１〜図８を参照しながら、器具本体６について説明する。器具本体６は、電源ユニット１０、センサユニット１２、送風ユニット１４、発光素子１６及び拡散カバー１８等を支持するための筐体である。
【００１９】
図１〜図８に示すように、器具本体６は、支持本体２０と、支持カバー２２と、装飾リング２４とを有している。図３に示すように、器具本体６の平面視形状は、例えば直径１８０ｍｍ〜２２０ｍｍ程度の円形状である。
【００２０】
支持本体２０は、電源ユニット１０、センサユニット１２、送風ユニット１４及び発光素子１６を支持するための部材である。図４〜図８に示すように、支持本体２０は、円板状（平面視円形状）の支持部２６と、支持部２６の周縁部から上方（Ｚ軸のプラス側）に延びる側壁部２８とを有している。側壁部２８は、支持部２６の周縁部の全周のうち一部に形成されている。すなわち、図８に示すように、側壁部２８の平面視形状は略Ｃ字状である。側壁部２８には、ネジ５６を挿通するための一対の孔２９が形成されている。一対の孔２９は、支持本体２０の中心軸に対して略対称な位置に配置されている。なお、図４〜図６では、一対の孔２９のうち一方のみを図示してある。
【００２１】
図６及び図７に示すように、支持部２６の下面（床面側の面であって、器具本体６の下面の一例）における中央部には、発光素子１６を取り付けるための凹部３０が形成されている。また、支持部２６の下面における外周部には、センサユニット１２を取り付けるための開口部３２が形成されている。なお、支持本体２０は、例えばアルミニウム等の放熱性の高い金属で形成されており、発光素子１６からの熱を放熱するためのヒートシンクとしても機能する。
【００２２】
支持カバー２２は、拡散カバー１８を支持するための部材である。支持カバー２２は、例えば不透明の樹脂等で形成されており、支持本体２０を側方から覆って化粧するための化粧カバーとしても機能する。図４〜図６に示すように、支持カバー２２は、円筒状に形成されている。図６に示すように、支持カバー２２の下端部には、拡散カバー１８を配置するための開口部３４が形成されている。開口部３４の平面視形状は、円形の一部が切り欠かれた略Ｄ字状である。
【００２３】
図４及び図６に示すように、支持カバー２２の下端部の周縁部には、センサユニット１２を配置するための挿通部３６が形成されている。挿通部３６は開口部３４に隣接して配置されており、挿通部３６の平面視形状は、円形の一部が切り欠かれた略Ｄ字状である。すなわち、図３に示すように、器具本体６を平面視した場合に、拡散カバー１８（開口部３４）と挿通部３６とは全体として円形状を形成する。図６に示すように、挿通部３６には、複数の孔３８，４０及び４２が形成されている。複数の孔３８，４０及び４２はそれぞれ、センサユニット１２の人感センサ６２、照度センサ６４及び操作つまみ６６（後述する）を器具本体６の外部に露出（挿通）させるための円形状の孔である。
【００２４】
図４〜図８に示すように、支持カバー２２の側面（器具本体６の側面の一例）には、吸込口４４及び吹出口４６が形成されている。吸込口４４及び吹出口４６の各々は、支持カバー２２の側面の周方向に沿って長尺状に延び、且つ、支持カバー２２の軸方向（Ｚ軸方向）に間隔を置いて配置された複数のスリットで形成されている。吸込口４４及び吹出口４６は、支持カバー２２の側面の周方向に沿って互いに隣接して配置されている。なお、図２及び図８に示すように、吸込口４４は、支持カバー２２の側面のうち、送風ユニット１４の吸込部７８（後述する）に対応する領域に配置されている。また、吹出口４６は、支持カバー２２の側面のうち、送風ユニット１４の吹出部８０及び放出部８１（後述する）に対応する領域に配置されている。
【００２５】
図１、図２及び図７に示すように、支持カバー２２は、支持本体２０の側壁部２８を側方から覆うようにして、支持本体２０に着脱自在に取り付けられている。図７に示すように、支持カバー２２が支持本体２０に取り付けられた状態では、支持本体２０の支持部２６は、支持カバー２２の開口部３４に対向する位置に配置される。また、支持部２６の開口部３２は、支持カバー２２の挿通部３６に対向する位置に配置される。さらに、吸込口４４及び吹出口４６は、支持本体２０の支持部２６の周縁部のうち、側壁部２８が形成されていない領域に対応して配置される。図６に示すように、支持カバー２２の側面の内側には集塵用フィルタ４８が取り付けられている。集塵用フィルタ４８は、吸込口４４及び吹出口４６と送風ユニット１４の吸込部７８及び吹出部８０との間に配置されている。
【００２６】
装飾リング２４は、支持カバー２２を装飾するための部材である。図４〜図６に示すように、装飾リング２４は、リング状に形成され、支持カバー２２の下端部における外周部に取り付けられている。装飾リング２４は、例えば透明の樹脂等で形成されている。
【００２７】
［１−３．器具取付板］
次に、図２及び図４〜図６を参照しながら、器具取付板８について説明する。器具取付板８は、器具本体６を天井４に取り付けるための部材である。
【００２８】
図２及び図４〜図６に示すように、器具取付板８は、略円板状に形成されており、例えば鋼板等の板金をプレス加工することにより成形されている。器具取付板８には、木ネジ５０を挿通するための一対の孔５２が形成されている。一対の木ネジ５０をそれぞれ一対の孔５２に挿通させて天井４に捻じ込むことにより、器具取付板８が天井４に取り付けられる。また、器具取付板８の中央部には、商用電源（図示せず）と電源ユニット１０とを電気的に接続する電線６０を挿通するための孔５３が形成されている。
【００２９】
器具取付板８の周縁部には、下方（Ｚ軸のマイナス側）に延びる一対の取付片５４が形成されている。一対の取付片５４の各々には、側壁部２８の一対の孔２９に対応して、ネジ５６を捻じ込むためのネジ孔５８が形成されている。一対のネジ５６をそれぞれ側壁部２８の一対の孔２９に挿通させて、一対の取付片５４の各ネジ孔５８に捻じ込むことにより、支持本体２０が器具取付板８に取り付けられる。
【００３０】
器具本体６を天井４に取り付ける際には、まず、器具取付板８を一対の木ネジ５０で天井４に取り付けた後に、支持本体２０を器具取付板８に一対のネジ５６で取り付ける。その後、支持カバー２２を支持本体２０に被せた状態で、支持カバー２２を支持本体２０に対して所定方向に回転させた後に支持カバー２２を支持本体２０に対して押し上げることにより、支持カバー２２を支持本体２０に取り付ける。
【００３１】
［１−４．電源ユニット］
次に、図５〜図７を参照しながら、電源ユニット１０について説明する。電源ユニット１０は、発光素子１６を発光させるためのユニットである。
【００３２】
図５〜図７に示すように、電源ユニット１０は、支持本体２０の支持部２６の上面に固定されている。電源ユニット１０は、基板と、基板に実装された電源回路及び制御回路とを有している。なお、基板は、電線６０を介して商用電源（図示せず）と電気的に接続されている。
【００３３】
電源回路は、発光素子１６を発光させるための電力を生成するための回路である。電源回路は、商用電源から電線６０を介して供給されてきた交流電力を直流電力に変換する。電源回路で生成された直流電力が発光素子１６に供給されることにより、発光素子１６が発光する。
【００３４】
制御回路は、後述する人感センサ６２及び照度センサ６４の各検知結果に基づいて、発光素子１６の発光を制御するための回路である。制御回路は、例えば照度センサ６４により照明器具２の周囲の照度が閾値よりも低いと判断された状態で、人感センサ６２により人が検知された際に、発光素子１６への直流電力の供給を開始することにより、発光素子１６を自動的に点灯させる。制御回路は、発光素子１６への直流電力の供給を開始してから一定時間が経過した際に、発光素子１６への直流電力の供給を停止することにより、発光素子１６を自動的に消灯させる。
【００３５】
［１−５．センサユニット］
次に、図１、図３、図４、図６及び図７を参照しながら、センサユニット１２について説明する。センサユニット１２は、照明器具２の周囲の状況を検知するためのユニットである。
【００３６】
図１、図３、図４及び図６に示すように、センサユニット１２は、人感センサ６２と、照度センサ６４と、操作つまみ６６とを有している。センサユニット１２は、支持本体２０の支持部２６の開口部３２に配置されている。
【００３７】
人感センサ６２は、照明器具２の周囲における人の存在の有無を検知するためのセンサである。図７に示すように、人感センサ６２は、支持カバー２２の挿通部３６の孔３８を通して器具本体６の外部に露出されている。人感センサ６２は、例えば人の体から放出される赤外線による温度変化を検知する焦電センサである。図７に示すように、人感センサ６２の検知エリア６８は、人感センサ６２を頂点として下方に立体角状に広がった略円錐形状を有している。なお、人感センサ６２は、焦電センサに限定されず、例えば超音波等で人の存在の有無を検知するセンサであってもよい。
【００３８】
照度センサ６４は、照明器具２の周囲の照度を検知するためのセンサである。照度センサ６４は、支持カバー２２の挿通部３６の孔４０を通して器具本体６の外部に露出されている。照度センサ６４は、例えばフォトダイオード等の受光素子を用いたセンサである。
【００３９】
操作つまみ６６は、発光素子１６の点灯保持時間（上記一定時間）を調節するための回転式つまみである。操作つまみ１６は、支持カバー２２の挿通部３６の孔４２を通して器具本体６の外部に露出されている。
【００４０】
図１、図３及び図７に示すように、センサユニット１２は、拡散カバー１８の外側（支持部２６の下面における外周部）に配置されている。すなわち、センサユニット１２は、支持部２６の下面（器具本体６の下面）のうち、拡散カバー１８により覆われていない第２の領域７０に配置されている。
【００４１】
［１−６．送風ユニット］
次に、図２及び図４〜図８を参照しながら、送風ユニット１４について説明する。送風ユニット１４は、マイナスイオン（イオンの一例）を含む空気を室内に拡散させるためのユニットである。
【００４２】
図４〜図８に示すように、送風ユニット１４は、支持本体２０の支持部２６の上面に固定されている。送風ユニット１４は、ケース７２と、送風ファン７４と、イオン発生部７６とを有している。
【００４３】
ケース７２は、例えば樹脂等で形成されている。図４〜図６及び図８に示すように、ケース７２の側面には、空気をケース７２の内部に吸い込むための吸込部７８と、空気をケース７２の外部に吹き出すための吹出部８０と、イオン発生部７６により発生したマイナスイオン（後述する）をケース７２の外部に放出するための放出部８１とが形成されている。吸込部７８、吹出部８０及び放出部８１は、ケース７２の周方向に沿って互いに隣接して配置されている。図２及び図８に示すように、吸込部７８は、支持カバー２２の吸込口４４に対向する位置に配置されている。また、吹出部８０及び放出部８１は、支持カバー２２の吹出口４６に対向する位置に配置されている。
【００４４】
図８に示すように、ケース７２の内部には、第１の収容部８２及び第２の収容部８４が形成されている。第１の収容部８２は吸込部７８及び吹出部８０と連通され、第２の収容部８４は放出部８１と連通されている。
【００４５】
送風ファン７４は、マイナスイオンを室内に拡散させるための気流を発生させるためのものであり、例えばシロッコファンである。送風ファン７４は、ケース７２の内部の第１の収容部８２に収容されている。送風ファン７４は、所定方向に回転することにより、室内の空気を、吸込口４４及び吸込部７８を通してケース７２の内部（器具本体６の内部）に吸い込む。また、送風ファン７４は、上記所定方向に回転することにより、ケース７２の内部に吸い込まれた空気を、吹出部８０及び吹出口４６を通してケース７２の外部（器具本体６の外部）に吹き出す。
【００４６】
イオン発生部７６は、マイナスイオンを発生させるためのものである。イオン発生部７６は、ケース７２の内部の第２の収容部８４に収容されている。イオン発生部７６は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生部７６により発生したマイナスイオンは、放出部８１及び吹出口４６を通してケース７２の外部に吹き出される。このとき、送風ファン７４から排出された空気の一部は、ケース７２の内部の吹出部８０から第２の収容部８４に流入する。これにより、マイナスイオンは、第２の収容部８４に流入した空気によりアシストされながら、放出部８１及び吹出口４６を通してケース７２の外部に吹き出された後に、室内に拡散される。
【００４７】
なお、ナノイーは、マイナスイオン単独で存在する場合よりも空気中に長時間（マイナスイオンの約６倍の寿命で）存在することが可能であり、且つ、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内のカーテン又は浮遊塵埃等を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【００４８】
なお、図示しないが、ケース７２の内部には、送風ファン７４及びイオン発生部７６を制御するための制御回路と、送風ファン７４及びイオン発生部７６に電力を供給するための電源回路とが実装された基板が配置されている。
【００４９】
［１−７．発光素子］
次に、図３、図４、図６及び図７を参照しながら、発光素子１６について説明する。発光素子１６は、例えば白色光を発するための光源である。より具体的には、発光素子１６は、例えば基板上に直接実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュールである。
【００５０】
図６及び図７に示すように、発光素子１６は、支持本体２０の支持部２６の凹部３０に放熱シート８６を介して取り付けられている。これにより、発光素子１６からの熱は、放熱シート８６を介して支持本体２０に伝達され、支持本体２０から空気中に放熱される。また、発光素子１６は、ホルダ８８により凹部３０に固定されている。ホルダ８８は、例えば白色の樹脂等で形成されており、発光素子１６からの光を反射する反射板としても機能する。
【００５１】
図４、図６及び図７に示すように、発光素子１６は、ユーザが発光素子１６に手で触れないようにするための保護カバー９０により覆われている。保護カバー９０は、例えば透明の樹脂等で形成されており、凹部３０全体を覆うようにして支持部２６の下面に取り付けられている。
【００５２】
図３及び図７に示すように、発光素子１６は、拡散カバー１８の内側（支持部２６の下面における中央部）に配置されている。すなわち、発光素子１６は、支持部２６の下面のうち、拡散カバー１８により覆われた第１の領域９２に配置されている。なお、第１の領域９２の面積は、第２の領域７０の面積よりも大きい。
【００５３】
［１−８．拡散カバー］
次に、図１、図３及び図５〜図７を参照しながら、拡散カバー１８について説明する。拡散カバー１８は、発光素子１６からの光を拡散させるためのカバーである。
【００５４】
図１、図３及び図５〜図７に示すように、拡散カバー１８は、略ドーム状に形成され、透光性を有する材料（例えば乳白色のアクリル樹脂等）で形成されている。拡散カバー１８は、支持本体２０の支持部２６の下面の一部（第１の領域９２）を覆うようにして、支持カバー２２の開口部３４に取り付けられている。
【００５５】
図７に示すように、拡散カバー１８は、ドーム面９４及び傾斜面９６を有している。ドーム面９４は、略ドーム状に形成されている。ドーム面９４の頂部９４ａは、発光素子１６を通り、且つ、鉛直方向（Ｚ軸方向）に延びる直線（図７において一点鎖線で示す）上に配置されている。傾斜面９６は、ドーム面９４のうちセンサユニット１２に面する一部をカットすることにより形成され、鉛直方向に対して傾斜している。これにより、図７に示すように、傾斜面９６は、人感センサ６２の検知エリア６８を遮らない位置に配置されている。
【００５６】
図３に示すように、拡散カバー１８の平面視形状は、円形の一部が切り欠かれた略Ｄ字状である。ドーム面９４は、拡散カバー１８を平面視した場合に、器具本体６の下面の外周縁に沿って円弧状に延びる輪郭を有している。傾斜面９６は、拡散カバー１８を平面視した場合に、ドーム面９４の輪郭の一部を切り欠くように直線状に延びる輪郭を有している。
【００５７】
［１−９．照明器具の使用方法］
次に、図２、図７及び図８を参照しながら、上述した照明器具２の使用方法について説明する。
【００５８】
例えば照度センサ６４により照明器具２の周囲の照度が閾値よりも低いと判断された状態で、人感センサ６２の検知エリア６８に人が入ってきた際に、電源ユニット１０からの直流電力が発光素子１６に供給されることにより、発光素子１６が自動的に点灯する。図７に示すように、発光素子１６からの光は、ホルダ８８で反射した後に、保護カバー９０を透過して拡散カバー１８に入射する。拡散カバー１８に入射した光は、拡散カバー１８から拡散されながら出射した後に、室内を照射する。
【００５９】
また、図２及び図８に示すように、送風ファン７４が上記所定方向に回転することにより、室内の空気は、吸込口４４及び吸込部７８を通して器具本体６の内部に吸い込まれる。図２、図７及び図８に示すように、送風ファン７４が上記所定方向に回転することにより、器具本体６の内部に吸い込まれた空気は、吹出部８０及び吹出口４６を通して器具本体６の外部に吹き出される。また、イオン発生部７６により発生したマイナスイオンは、放出部８１及び吹出口４６を通して空気とともに器具本体６の外部に吹き出される。マイナスイオンを含む空気が室内に拡散することにより、室内の脱臭又は除菌等を行うことができる。
【００６０】
なお、電源ユニット１０と送風ユニット１４とはそれぞれ独立して駆動する。すなわち、送風ユニット１４が所定時間（例えば、８時間）連続して駆動している間、送風ユニット１４とは独立して、発光素子１６を任意のタイミングに点灯又は消灯することができる。
【００６１】
［２．効果］
本実施の形態の照明器具２は、器具本体６と、器具本体６の下面に配置された発光素子１６と、器具本体６の側面に配置された吸込口４４及び吹出口４６と、器具本体６の内部に配置された送風ファン７４であって、吸込口４４から器具本体６の内部に空気を吸い込み、且つ、吹出口４６から器具本体６の外部に空気を吹き出すための送風ファン７４とを備える。
【００６２】
これによれば、発光素子１６は器具本体６の下面に配置され、吸込口４４及び吹出口４６は器具本体６の側面に配置されている。そのため、器具本体６の下面において、吸込口４４及び吹出口４６を配置するための領域を省略することができる分だけ、発光面（例えば、拡散カバー１８等）を配置するための領域を大きく確保することができ、照明の明るさを確保することができる。さらに、吸込口４４及び吹出口４６は器具本体６の側面に配置されているので、吹出口４６からの空気は、照明器具２の側方に吹き出された後に床面に向けて下降し、その後、天井４に向けて上昇して吸込口４４から吸い込まれる。その結果、室内全体を下降及び上昇しながら循環する気流を発生させることができ、吹出口４６からの空気を室内全体に効率良く拡散させることができる。
【００６３】
さらに、吸込口４４及び吹出口４６は、器具本体６の周方向に沿って互いに隣接して配置されている。
【００６４】
これによれば、吸込口４４と吹出口４６との配置間隔が短くなるので、器具本体６の内部における送風ファン７４を配置するためのスペース（第１の収容部８２）をコンパクトにすることができる。その結果、照明器具２の小型化を図ることができる。
【００６５】
さらに、器具本体６の下面は円形状に形成され、器具本体６の側面は円筒状に形成されている。
【００６６】
これによれば、図２及び図８に示すように、吸込口４４に吸い込まれる空気の流れの方向と、吹出口４６から吹き出される空気の流れの方向とを異ならせることできる。その結果、吸込口４４に吸い込まれる空気と吹出口４６から吹き出される空気とが相互に干渉するのを抑制することができ、気流の循環効率を高めることができる。
【００６７】
さらに、照明器具２は、器具本体６の内部に配置され、イオンを発生させるためのイオン発生部７６を備える。送風ファン７４は、イオン発生部７６により発生したイオンを空気とともに吹出口４６から器具本体６の外部に吹き出す。
【００６８】
これによれば、吹出口４６からのイオンを空気とともに室内全体に効率良く拡散させることができる。その結果、室内の脱臭又は除菌等を効果的に行うことができる。
【００６９】
（変形例）
次に、図９を参照しながら、変形例に係る照明器具２Ａについて説明する。図９は、変形例に係る照明器具２Ａの天井４側の外観を示す斜視図である。
【００７０】
上記実施の形態では、器具取付板８は、一対の木ネジ５０で天井４に取り付けられるようにした。これに対して、変形例に係る照明器具２Ａでは、図９に示すように、器具取付板８Ａは、引っ掛けシーリングボディ９８を介して天井４（図１参照）に取り付けられる。
【００７１】
器具取付板８Ａの中央部に配置されたホルダ（図示せず）には、器具取付部材（図示せず）が取り付けられている。器具取付部材は、天井４に設置された引っ掛けシーリングボディ９８に器具本体６を着脱自在に取り付けるためのアダプタである。
【００７２】
照明器具２Ａを天井４に設置する際には、ユーザは、まず、器具取付部材を引っ掛けシーリングボディ９８に取り付ける。その後、ユーザは、器具取付部材が器具本体６のホルダの内部に挿入されるようにして、器具本体６を天井４側に押し上げることにより、ホルダと器具取付部材とを嵌合させる。これにより、器具本体６が器具取付部材及び引っ掛けシーリングボディ９８を介して天井４に取り付けられ、照明器具２Ａが天井４に設置される。
【００７３】
なお、引っ掛けシーリングボディ９８は、商用電源（図示せず）と電線（図示せず）とを介して電気的に接続されている。照明器具２Ａが天井４に設置されることにより、商用電源からの交流電力が電線及び引っ掛けシーリングボディ９８を介して照明器具２Ａに供給される。
【００７４】
（他の変形例等）
以上、本発明について実施の形態及び変形例に基づいて説明したが、本発明は、上記実施の形態及び変形例に限定されるものではない。
【００７５】
上記実施の形態等では、器具本体６の平面視形状を円形状としたが、これに限定されず、例えば矩形状又は楕円形状等、任意の平面視形状としてもよい。
【００７６】
また、上記実施の形態等では、イオン発生部７６は、イオンとしてマイナスイオンを発生したが、これに限定されず、例えばイオンとしてプラスイオンを発生してもよい。
【００７７】
また、上記実施の形態等では、発光素子１６をＣＯＢ型の発光モジュールとしたが、これに限定されず、例えばパッケージ化された表面実装（ＳＭＤ：Ｓｕｒｆａｃｅ  Ｍｏｕｎｔ  Ｄｅｖｉｃｅ）型の発光モジュールとしてもよい。
【００７８】
また、上記実施の形態等では、発光素子１６としてＬＥＤチップを用いた発光モジュールを用いたが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００７９】
また、上記実施の形態等では、照明器具２を天井４に取り付けたが、これに限定されず、例えば室内の壁等に取り付けてもよい。
【００８０】
また、上記実施の形態等では、照明器具２をシーリングライトとしたが、これに限定されず、例えばシャンデリア、ペンダントライト、ブラケットライト、バスルームライト又はキッチンライト等としてもよい。
【００８１】
その他、上記実施の形態等に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００８２】
２，２Ａ  照明器具
６  器具本体
１６  発光素子
４４  吸込口
４６  吹出口
７４  送風ファン
７６  イオン発生部
【図１】
2018049759.tif 000003
【図２】
2018049759.tif 000004
【図３】
2018049759.tif 000005
【図４】
2018049759.tif 000006
【図５】
2018049759.tif 000007
【図６】
2018049759.tif 000008
【図７】
2018049759.tif 000009
【図８】
2018049759.tif 000010
【図９】
2018049759.tif 000011